(57)【特許請求の範囲】
【請求項１】
目的施設に訪問するユーザの所在地域を取得する取得部と、
前記所在地域のうち前記ユーザの数が所定の条件を満たす場所を、前記目的施設への移動体の提供場所として特定する特定部と
を有することを特徴とする特定装置。
【請求項２】
前記取得部は、前記ユーザの端末装置の位置データに基づいて、前記目的施設に訪問する前記ユーザの前記所在地域を取得する
ことを特徴とする請求項１に記載の特定装置。
【請求項３】
前記特定部は、前記ユーザの端末装置の位置データに基づいて、前記目的施設に前記移動体以外で訪問する前記ユーザを推定し、当該ユーザの数が前記所定の条件を満たす場所を、前記目的施設への前記移動体の前記提供場所として特定する
ことを特徴とする請求項１に記載の特定装置。
【請求項４】
前記特定部は、前記ユーザの端末装置の位置データに基づいて、前記目的施設に訪問する頻度が所定の閾値を超える前記ユーザを推定し、当該ユーザの数が前記所定の条件を満たす場所を、前記目的施設への前記移動体の前記提供場所として特定する
ことを特徴とする請求項１に記載の特定装置。
【請求項５】
前記特定部は、前記ユーザの端末装置の位置データに基づいて、前記目的施設に滞在する時間が所定の閾値を超える前記ユーザを推定し、当該ユーザの数が前記所定の条件を満たす場所を、前記目的施設への前記移動体の前記提供場所として特定する
ことを特徴とする請求項１に記載の特定装置。
【請求項６】
前記特定部は、前記ユーザの端末装置の位置データ、および、決済データに基づいて、前記目的施設における決済額が所定の閾値を超える前記ユーザを推定し、当該ユーザの数が前記所定の条件を満たす場所を、前記目的施設への前記移動体の前記提供場所として特定する
ことを特徴とする請求項１に記載の特定装置。
【請求項７】
前記特定部は、前記ユーザが端末装置にて検索に用いた検索クエリとして、前記目的施設への訪問方法が入力された数が所定の閾値を超える場所を、前記目的施設への前記移動体の前記提供場所として特定する
ことを特徴とする請求項１に記載の特定装置。
【請求項８】
前記特定部は、前記ユーザが端末装置にて検索に用いた検索クエリに基づいて、前記目的施設への訪問方法が検索された前記端末装置を特定し、当該端末装置の位置データに基づいて、当該端末装置の前記ユーザの数が前記所定の条件を満たす場所を、前記目的施設への前記移動体の前記提供場所として特定する
ことを特徴とする請求項１に記載の特定装置。
【請求項９】
前記特定部は、前記ユーザが端末装置にて検索に用いた検索クエリに基づいて、前記移動体以外で前記目的施設に訪問するのが不便な前記ユーザの前記端末装置を推定し、当該端末装置の位置データに基づいて、当該端末装置の前記ユーザの数が前記所定の条件を満たす場所を、前記目的施設への前記移動体の前記提供場所として特定する
ことを特徴とする請求項１に記載の特定装置。
【請求項１０】
前記特定部は、更に、前記所在地域から前記目的施設までの道路状況が所定の条件を満たす場所を、前記目的施設への前記移動体の前記提供場所として特定する
ことを特徴とする請求項１〜９のうちいずれか１つに記載の特定装置。
【請求項１１】
特定装置が実行する特定方法であって、
目的施設に訪問するユーザの所在地域を取得する取得工程と、
前記所在地域のうち前記ユーザの数が所定の条件を満たす場所を、前記目的施設への移動体の提供場所として特定する特定工程と
を含むことを特徴とする特定方法。
【請求項１２】
目的施設に訪問するユーザの所在地域を取得する取得手順と、
前記所在地域のうち前記ユーザの数が所定の条件を満たす場所を、前記目的施設への移動体の提供場所として特定する特定手順と
をコンピュータに実行させるための特定プログラム。
【発明の詳細な説明】
【技術分野】
【０００１】
本発明は、特定装置、特定方法、および特定プログラムに関する。
【背景技術】
【０００２】
従来、複数の駐車ポートにおける車両の配置台数の偏りを低減することが可能なカーシェアリングシステムを提供する技術が知られている（特許文献１参照）。
【先行技術文献】
【特許文献】
【０００３】
【特許文献１】特開２０１９−７９２２８号公報
【発明の概要】
【発明が解決しようとする課題】
【０００４】
しかしながら、上述した技術では、既存のカーシェアステーションにおける配置車両の偏りを是正するものであって、カーシェアステーションの設置位置の最適化を図ることができなかった。
【０００５】
本願は、上記に鑑みてなされたものであって、目的とする施設への人流を考慮して、カーシェアリング需要が高そうな場所にカーシェアステーションの設置を提案することができる技術を提供することを目的とする。
【課題を解決するための手段】
【０００６】
本願に係る特定装置は、目的施設に訪問するユーザの所在地域を取得する取得部と、所在地域のうちユーザの数が所定の条件を満たす場所を、目的施設への移動体の提供場所として特定する特定部とを有することを特徴とする。
【発明の効果】
【０００７】
実施形態の一態様によれば、商業施設等に向かう場合に、カーシェアステーションを設置するのに適当な位置を提案することができる。
【図面の簡単な説明】
【０００８】
【図１】図１は、実施形態に係る情報提供システムの一例を示す図である。
【図２】図２は、実施形態に係る提供場所特定処理の一例を示す図である。
【図３】図３は、実施形態に係る表示画面の一例を示す図である。
【図４】図４は、実施形態に係る表示画面の一例を示す図である。
【図５】図５は、実施形態に係る表示画面の一例を示す図である。
【図６】図６は、実施形態に係る情報提供装置の構成例を示す図である。
【図７】図７は、実施形態に係る端末装置の構成例を示す図である。
【図８】図８は、実施形態に係る提供処理の流れの一例を示すフローチャートである。
【図９】図９は、ハードウェア構成の一例を示す図である。
【発明を実施するための形態】
【０００９】
以下に、本願に係る特定装置、特定方法、および特定プログラムを実施するための形態（以下、「実施形態」と記載する。）について図面を参照しつつ詳細に説明する。なお、この実施形態により本願に係る特定装置、特定方法、および特定プログラムが限定されるものではない。また、以下の各実施形態において同一の部位には同一の符号を付し、重複する説明は省略される。
【００１０】
［実施形態］
〔１．情報提供システムの構成〕
まず、図１を用いて、特定装置の一例である端末装置１００若しくは情報提供装置１０を有する情報提供システム１の構成について説明する。図１は、実施形態に係る情報提供システム１の一例を示す図である。図１に示すように、情報提供システム１は、情報提供装置１０、検索サーバ２０、および端末装置１００を有する。なお、情報提供システム１は、複数の端末装置１００を有する。また、情報提供装置１０と、検索サーバ２０とは、同一のサーバ装置やクラウドシステム等により実現されてもよい。ここで、情報提供装置１０、検索サーバ２０、および端末装置１００は、ネットワークＮ（例えば、図６参照）を介して有線または無線により通信可能に接続される。
【００１１】
情報提供装置１０は、サービス提供者等の端末装置１００に対して後述する提案データを提供する情報処理装置であり、例えば、サーバ装置やクラウドシステム等により実現される。
【００１２】
検索サーバ２０は、端末装置１００等からの検索要求に応じて、インターネットに存在するウェブページ、ウェブサイト、および／または、画像ファイル等のコンテンツを検索する機能を提供する情報処理装置（検索エンジン）であり、サーバ装置やクラウドシステム等により実現される。例えば、検索サーバ２０は、ポータルサイト等を含む検索サイトを提供してもよい。ここで、検索サーバ２０は、端末装置１００等が検索サーバ２０にアクセスした際に、端末装置１００等からウェブブラウザを介して、検索サーバ２０とウェブブラウザとの間で状態を管理する通信プロトコル、またはそこで用いられるウェブブラウザに保存されたデータであるＨＴＴＰ  Ｃｏｏｋｉｅ等を取得してもよい。
【００１３】
端末装置１００は、スマートフォンやタブレット等のスマートデバイスであり、３Ｇ（Generation）やＬＴＥ（Long  Term  Evolution）等の無線通信網を介して任意のサーバ装置と通信を行うことができる携帯端末装置である。また、端末装置１００は、液晶ディスプレイ等の画面であって、タッチパネルの機能を有する画面を有し、利用者から指やスタイラス等によりタップ操作、スライド操作、スクロール操作等、コンテンツ等の表示データに対する各種の操作を受付ける。なお、以下の説明では、画面のうち、コンテンツが表示されている領域上で行われた操作を、コンテンツに対する操作と記載する場合がある。なお、端末装置１００は、スマートデバイスのみならず、デスクトップＰＣ（Personal  Computer）やノートＰＣ等の情報処理装置であってもよい。
【００１４】
〔２．情報提供システムが実行する処理について〕
そこで、情報提供システム１では、情報提供装置１０および端末装置１００が、以下の提供処理を実行する。以下の説明では、端末装置１００が実行する処理により、閲覧データが利用者に提供される処理の一例について説明するが、以下に説明する提供処理は、一部若しくは全てを情報提供装置１０が実現してもよい。
【００１５】
例えば、情報提供装置１０は、目的施設に訪問するユーザの所在地域を取得し、所在地域のうちユーザの数が所定の条件を満たす場所を、目的施設への移動体の提供場所として特定する。
【００１６】
〔２−１．提供処理の一例について〕
以下、図１を用いて、提供処理の具体例について説明する。なお、以下の説明では、図１を用いて、情報の流れについて説明した後に、図２〜図５を用いて、移動体の提供場所を特定する態様の具体例について説明する。
【００１７】
まず、複数のユーザの端末装置１００は、端末装置１００の位置データを情報提供装置１０に定期的に送信する（ステップＳ１１）。そして、情報提供装置１０は、検索サーバ２０にて実行された端末装置１００のユーザの検索データを定期的に受信する（ステップＳ１２）。
【００１８】
そして、情報提供装置１０は、複数のユーザの端末装置１００の位置データ、および／または、ユーザが端末装置１００にて検索に用いた検索クエリに基づいて、目的施設に訪問するユーザの所在地域を取得する（ステップＳ１３）。そして、情報提供装置１０は、当該ユーザの数が所定の条件を満たす（所定数以上の）場所を、目的施設へ乗用車で向かうのに適当なカーシェアステーションの設置位置として特定する（ステップＳ１４）。
【００１９】
そして、情報提供装置１０は、カーシェアステーションの設置位置の提案データをカーシェアリング事業者または駐車場運営会社の端末装置１００に配信する（ステップＳ１５）。そして、カーシェアリング事業者または駐車場運営会社の端末装置１００は、提案データを表示することとなる（ステップＳ１６）。
【００２０】
〔２−１−１．提供場所特定処理の一例について〕
続いて、図２〜図５を用いて、提供場所特定処理の一例について説明する。図２は、実施形態に係る提供場所特定処理の一例を示す図である。図３〜図５は、実施形態に係る表示画面の一例を示す図である。
【００２１】
情報提供装置１０は、複数のユーザの端末装置１００の位置データに基づいて、図２に示す目的施設である商業施設Ｇに乗用車以外で訪問するユーザの所在地域を取得し、地図データに基づいて、所在地域のうちユーザが多く存在する所在地域（図２の破線で示すエリア）から商業施設Ｇへ向かいやすく、乗用車に乗車しやすい場所として所在地域内の商業施設Ｇに向かう車線側の幹線道路沿いの場所を特定し、当該場所を図２に示すカーシェアステーションの設置位置として特定する。そして、情報提供装置１０は、カーシェアステーションの設置位置の提案データをカーシェアリング事業者に提供する。例えば、図２に示すように、情報提供装置１０は、Ａ駅北東部からＡ駅への徒歩またはバス移動、Ａ駅からＢ駅を経由してＣ駅への電車移動、および、Ｃ駅から商業施設Ｇへのシャトルバス移動の位置データ（人流データ）が多くの端末装置１００から取得される場合、Ａ駅北東部をカーシェアステーションの設置位置として特定してもよい。
【００２２】
ここで、情報提供装置１０は、複数のユーザの端末装置１００の位置データに基づいて、図２に示す目的施設である商業施設Ｇに週２回以上等の高頻度で訪問するユーザを推定し、当該ユーザの数が多く存在する場所、または、図２に示す商業施設Ｇに訪問して３時間以上等の長時間滞在するユーザを推定し、当該ユーザの数が多く存在する場所をカーシェアステーションの設置位置として特定してもよい。
【００２３】
また、情報提供装置１０は、複数のユーザの端末装置１００の位置データ、および、図２に示す目的施設である商業施設Ｇでの決済データに基づいて、商業施設Ｇに訪問して高額消費する端末装置１００のユーザを推定し、当該ユーザが多く存在する場所をカーシェアステーションの設置位置として特定してもよい。
【００２４】
なお、情報提供装置１０は、ユーザの端末装置１００の位置データから、端末装置１００のユーザが日常的に（夜間または昼間に）長時間滞在する地点（例えば、居住地または勤務地等）を特定することで、所在地域となるエリアを特定してもよい。
【００２５】
また、図３に示すように、情報提供装置１０は、複数のユーザが端末装置１００にて検索に用いた検索クエリに基づいて、多くのユーザの端末装置１００にてＡ駅北東部から商業施設Ｇへの訪問方法を示す検索クエリ（例えば、「Ａ駅北東部」＋「商業施設Ｇ」＋「アクセス」等）が検索に用いられている場合、Ａ駅北東部をカーシェアステーションの設置位置として特定してもよい。
【００２６】
また、図４に示すように、情報提供装置１０は、複数のユーザの端末装置１００にて検索に用いた検索クエリに基づいて、商業施設Ｇへの訪問方法（例えば、「商業施設Ｇ」＋「アクセス」等）が検索された端末装置１００を特定し、当該端末装置１００の位置データに基づいて、当該端末装置１００のユーザが多く存在する場所をカーシェアステーションの設置位置として特定してもよい。
【００２７】
また、情報提供装置１０は、複数のユーザが端末装置１００にて検索に用いた検索クエリに基づいて、乗用車以外で商業施設Ｇに訪問するのが不便なユーザの端末装置１００を推定し、当該端末装置１００の位置データに基づいて、当該端末装置１００のユーザが多く存在する場所をカーシェアステーションの設置位置として特定してもよい。すなわち、図５に示すように、情報提供装置１０は、端末装置１００にて商業施設Ｇへ乗用車以外での移動の不便さが推定される検索クエリ（例えば、「ベビーカー」＋「商業施設Ｇ」＋「アクセス」等）を検索に用いたユーザが多く存在する場所（すなわち、乗用車以外で商業施設Ｇに訪問するのが不便なユーザが多く存在する場所）をカーシェアステーションの設置位置として特定してもよい。ここで、情報提供装置１０は、ユーザが端末装置１００にて検索に用いた検索クエリに基づいて、犬を飼っているまたは車いす利用等の乗用車以外の移動が不便な、商業施設Ｇに訪問するユーザが多く存在するエリアを所在地域として特定してもよい。すなわち、情報提供装置１０は、車で目的施設に行く理由があるユーザが多く存在するエリアを所在地域として特定してもよい。
【００２８】
ここで、情報提供装置１０は、例えば、地図配信等のサービスを実行する外部サーバ等から、端末装置１００のユーザの所在地（例えば、居住地または勤務地等）や目的施設の位置を特定するデータを取得してもよい。また、情報提供装置１０は、端末装置１００のユーザの購入履歴等を管理する外部サーバ等から、端末装置１００のユーザの決済データを収集してもよい。
【００２９】
〔３．情報提供装置の構成〕
次に、図６を用いて、実施形態に係る情報提供装置１０の機能構成の一例について説明する。図６は、実施形態に係る情報提供装置１０の構成例を示す図である。図６に示すように、情報提供装置１０は、通信部１１と、記憶部１２と、制御部１３とを有する。
【００３０】
通信部１１は、例えば、ＮＩＣ（Network  Interface  Card）等によって実現される。そして、通信部１１は、ネットワークＮと有線または無線で接続され、端末装置１００、および検索サーバ２０との間で情報の送受信を行う。
【００３１】
記憶部１２は、例えば、ＲＡＭ（Random  Access  Memory）、フラッシュメモリ（Flash  Memory）等の半導体メモリ素子、または、ハードディスク、光ディスク等の記憶装置によって実現される。また、記憶部１２は、位置データベース１２１、検索データベース１２２、決済データベース１２３、および地図データベース１２４を有する。
【００３２】
位置データベース１２１には、端末装置１００の位置データを記憶する。ここで、位置データは、ＧＰＳ（Global  Positioning  System）、携帯基地局、およびアクセスポイント等に基づいて取得される位置座標等であってもよい。
【００３３】
検索データベース１２２には、複数のユーザの検索データが登録される。ここで、検索データは、検索サーバ２０にて複数のユーザの端末装置１００からの検索要求に応じて検索された検索結果の検索履歴等のデータを含んでいてもよい。また、検索データは、検索サーバ２０にて複数のユーザの端末装置１００から取得されたＨＴＴＰ  Ｃｏｏｋｉｅ等を含んでいてもよい。ここで、検索履歴は、検索エンジンである検索サーバ２０において検索されたデータであって、検索文字データ、検索画像データ、検索時刻、検索ユーザの性別および／もしくは年齢等を含む検索ユーザデータ、ならびに／または、基地局、アクセスポイントおよび／もしくはＩＰアドレス等に基づく検索位置データを含むアクセス位置データ等を含んでいてもよい。
【００３４】
決済データベース１２３には、端末装置１００のユーザの決済データが登録される。ここで、決済データは、クレジットカード、デビットカード、電子マネー、バーコード決済、または、ＱＲコード（登録商標）決済等のキャッシュレス決済による決済履歴等を含んでいてもよい。
【００３５】
地図データベース１２４には、地図データが登録される。ここで、地図データは、複数の縮尺のラスタ形式の地図描画用の画像、ベクタ形式の地図描画用の画像等を含んでいてもよい。例えば、地図データは、縮尺に従ってメッシュ化された地図データ（例えば、ＪＩＳ規格の第１〜３次地域区画メッシュデータ、および、１００ｍメッシュデータ等）等であってもよい。また、地図データは、地図上の地物、注記、および記号に関する地図オブジェクトデータを含んでいてもよい。
【００３６】
制御部１３は、例えば、ＣＰＵ（Central  Processing  Unit）やＭＰＵ（Micro  Processing  Unit）等によって、情報提供装置１０内部の記憶装置に記憶されている各種プログラムがＲＡＭを作業領域として実行されることにより実現される。また、制御部１３は、例えば、ＡＳＩＣ（Application  Specific  Integrated  Circuit）やＦＰＧＡ（Field  Programmable  Gate  Array）等の集積回路により実現される。図６に示すように、制御部１３は、取得部１４、特定部１５、および提供部１６を有する。
【００３７】
取得部１４は、目的施設に訪問するユーザの所在地域を取得する。また、取得部１４は、ユーザの端末装置１００の位置データに基づいて、目的施設に訪問するユーザの所在地域を取得してもよい。また、取得部１４は、端末装置１００の位置データを取得する。また、取得部１４は、端末装置における検索データを取得してもよい。また、取得部１４は、検索サーバ２０にて端末装置１００からの検索クエリを含む検索要求に応じて検索された検索結果の検索履歴を取得してもよい。
【００３８】
特定部１５は、目的施設への移動体の提供場所として特定する。また、特定部１５は、所在地域のうちユーザの数が所定の条件を満たす場所を、目的施設への移動体（例えば、乗用車）の提供場所（例えば、カーシェアステーションの設置位置）として特定してもよい。また、特定部１５は、ユーザの端末装置１００の位置データに基づいて、目的施設に移動体以外で訪問するユーザを推定し、当該ユーザの数が所定の条件を満たす場所を、目的施設への移動体の提供場所として特定してもよい。また、特定部１５は、ユーザの端末装置１００の位置データに基づいて、目的施設に訪問する頻度が所定の閾値を超えるユーザを推定し、当該ユーザの数が所定の条件を満たす場所を、目的施設への移動体の提供場所として特定してもよい。また、特定部１５は、ユーザの端末装置１００の位置データに基づいて、目的施設に滞在する時間が所定の閾値を超えるユーザを推定し、当該ユーザの数が所定の条件を満たす場所を、目的施設への移動体の提供場所として特定してもよい。また、特定部１５は、ユーザの端末装置１００の位置データ、および、決済データに基づいて、目的施設における決済額が所定の閾値を超えるユーザを推定し、当該ユーザの数が所定の条件を満たす場所を、目的施設への移動体の提供場所として特定してもよい。また、特定部１５は、ユーザが端末装置１００にて検索に用いた検索クエリとして、目的施設への訪問方法が入力された数が所定の閾値を超える場所を、目的施設への移動体の提供場所として特定してもよい。また、特定部１５は、ユーザが端末装置１００にて検索に用いた検索クエリに基づいて、目的施設への訪問方法が検索された端末装置１００を特定し、当該端末装置１００の位置データに基づいて、当該端末装置１００のユーザの数が所定の条件を満たす場所を、目的施設への移動体の提供場所として特定してもよい。また、特定部１５は、ユーザが端末装置１００にて検索に用いた検索クエリに基づいて、移動体以外で目的施設に訪問するのが不便なユーザの端末装置１００を推定し、当該端末装置１００の位置データに基づいて、当該端末装置１００のユーザの数が所定の条件を満たす場所を、目的施設への移動体の提供場所として特定してもよい。また、特定部１５は、更に、所在地域から目的施設までの道路状況が所定の条件を満たす場所を、目的施設への移動体の提供場所として特定してもよい。例えば、特定部１５は、所在地域のうち所定の期間（例えば、直近の１か月）の間に目的施設の名称を検索クエリとして入力したユーザの数が１０００人を超える場所を、目的施設への乗用車の提供場所（例えば、カーシェアステーションの設置位置）として特定してもよい。
【００３９】
提供部１６は、目的施設への移動体の提供場所の提案データを提供する。提供部１６は、目的施設への移動体の提供場所の位置データを含む当該提供場所の提案データを提供してもよい。提供部１６は、提供場所を示す地図データを含む当該提供場所の提案データを提供してもよい。
【００４０】
〔４．端末装置の構成〕
次に、図７を用いて、実施形態に係る端末装置１００の構成について説明する。図７は、実施形態に係る端末装置１００の構成例を示す図である。図７に示すように、端末装置１００は、通信部１１０と、入力部１２０と、出力部１３０と、物理センサ１４０と、制御部１５０とを有する。
【００４１】
通信部１１０は、例えば、ＮＩＣ等によって実現される。そして、通信部１１０は、ネットワークＮと有線または無線で接続され、情報提供装置１０との間で情報の送受信を行う。
【００４２】
入力部１２０は、利用者から各種操作を受け付ける入力装置である。例えば、入力部１２０は、キーボードやマウスや操作キー等によって実現される。出力部１３０は、各種情報を表示するための表示装置であり、すなわち、画面である。例えば、出力部１３０は、液晶ディスプレイ等によって実現される。なお、端末装置１００にタッチパネルが採用される場合には、入力部１２０と出力部１３０とは一体化される。また、以下の説明では、出力部１３０を画面と記載する場合がある。
【００４３】
物理センサ１４０は、端末装置１００の各種の物理的な情報を検出するセンサであり、例えば、ジャイロセンサ、温度センサ、音量センサ、明度センサ、加速度センサ等である。なお、物理センサ１４０は、ＧＰＳ等の測位システムを用いて、端末装置１００の現在位置を特定するセンサであってもよい。
【００４４】
制御部１５０は、例えば、ＣＰＵやＭＰＵ等によって、端末装置１００内部の記憶装置に記憶されている各種プログラム（情報表示プログラムの一例に相当）がＲＡＭを作業領域として実行されることにより実現される。例えば、この各種プログラムは、ウェブブラウザと呼ばれるアプリケーションプログラムに該当する。また、制御部１５０は、例えば、ＡＳＩＣやＦＰＧＡ等の集積回路により実現される。
【００４５】
図７に示すように、制御部１５０は、要求部１５１と、操作制御部１５２と、表示処理部１５３とを有し、以下に説明する情報処理の機能や作用を実現または実行する。なお、制御部１５０の内部構成は、図７に示した構成に限られず、後述する情報処理を行う構成であれば他の構成であってもよい。また、制御部１５０が有する各処理部の接続関係は、図７に示した接続関係に限られず、他の接続関係であってもよい。
【００４６】
要求部１５１は、操作制御部１５２から検索ワード等のテキストデータを受信した場合は、検索サーバ２０に対して受信したテキストデータを含む、検索要求を送信する。
【００４７】
操作制御部１５２は、入力部１２０を介して受け付けた利用者の操作にしたがって、各種制御を実行する。例えば、操作制御部１５２は、利用者が入力部１２０に対して各種選択操作を行った場合は、選択操作内容を表示処理部１５３に出力する。また、操作制御部１５２は、入力部１２０を介して受け付けたスクロール操作やタップ操作等、利用者の操作の内容を表示処理部１５３に出力する。
【００４８】
表示処理部１５３は、受信した各種データを出力部１３０に表示する。例えば、表示処理部１５３は、各種の検索結果、ウェブページまたは提案データを表示する処理を実行する。表示処理部１５３は、例えば、ＣＰＵやＭＰＵ等によって、ＲＡＭを作業領域として実行されることにより実現される。
【００４９】
〔５．端末装置１００の処理フロー〕
次に、図８を用いて、制御情報を実行した端末装置１００と情報提供装置１０が実行する表示処理の手順について説明する。図８は、実施形態に係る提供処理の流れの一例を示すフローチャートである。
【００５０】
例えば、情報提供装置１０は、複数のユーザの端末装置１００の位置データ、および、当該ユーザが端末装置１００にて検索に用いた検索クエリに基づいて、乗用車以外で目的施設に訪問するのが不便なユーザが多く存在する所在地域を取得する（ステップＳ１０１）。
【００５１】
そして、情報提供装置１０は、所在地域から目的施設へ向かいやすく、乗用車に乗車しやすい地点を特定し、当該地点をカーシェアステーションの設置位置として推定する（ステップＳ１０２）。そして、情報提供装置１０は、カーシェアステーションの設置位置を示す地図データを含む当該設置位置の提案データを作成する（ステップＳ１０３）。
【００５２】
そして、情報提供装置１０は、カーシェアステーションの設置位置の提案データをカーシェアリング事業者または駐車場運営会社の端末装置１００に配信する（ステップＳ１０４）。
【００５３】
そして、カーシェアリング事業者または駐車場運営会社の端末装置１００は、受信した提案データを表示する（ステップＳ１０５）。
【００５４】
〔６．変形例〕
上記では、提供処理の一例について説明した。しかしながら、実施形態は、これに限定されるものではない。以下、提供処理の変形例について説明する。なお、以下に説明する提供処理は、端末装置１００側が発揮する機能により実現されてもよく、情報提供装置１０側が発揮する機能により実現されてもよい。
【００５５】
〔６−１．装置構成〕
上記実施形態では、情報提供システム１に、コンテンツを検索する機能を提供する検索サーバ２０、および提供処理を実行する情報提供装置１０が含まれる例について説明したが、実施形態は、これに限定されるものではない。例えば、情報提供装置１０は、コンテンツを検索する機能を提供する検索エンジンを備えていてもよい。このような場合、情報提供装置１０は、端末装置１００等からの検索要求に応じ、検索サーバ２０に代わり、インターネットに存在するウェブページ、ウェブサイト、および／または、画像ファイル等のコンテンツを検索して検索結果を検索履歴として蓄積してもよい。このような構成を有する場合、情報提供システム１は、検索サーバ２０を有さずともよい。
【００５６】
〔６−２．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【００５７】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【００５８】
また、上記してきた各実施形態は、処理内容を矛盾させない範囲で適宜組み合わせることが可能である。
【００５９】
〔６−３．プログラム〕
また、上述してきた実施形態に係る情報提供装置１０および端末装置１００は、例えば図９に示すような構成のコンピュータ１０００によって実現される。図９は、ハードウェア構成の一例を示す図である。コンピュータ１０００は、出力装置１０１０、入力装置１０２０と接続され、演算装置１０３０、一次記憶装置１０４０、二次記憶装置１０５０、出力ＩＦ（Interface）１０６０、入力ＩＦ１０７０、ネットワークＩＦ１０８０がバス１０９０により接続された形態を有する。
【００６０】
演算装置１０３０は、一次記憶装置１０４０や二次記憶装置１０５０に格納されたプログラムや入力装置１０２０から読み出したプログラム等に基づいて動作し、各種の処理を実行する。一次記憶装置１０４０は、ＲＡＭ等、演算装置１０３０が各種の演算に用いるデータを一次的に記憶するメモリ装置である。また、二次記憶装置１０５０は、演算装置１０３０が各種の演算に用いるデータや、各種のデータベースが登録される記憶装置であり、ＲＯＭ（Read  Only  Memory）、ＨＤＤ、フラッシュメモリ等により実現される。
【００６１】
出力ＩＦ１０６０は、モニタやプリンタといった各種の情報を出力する出力装置１０１０に対し、出力対象となる情報を送信するためのインタフェースであり、例えば、ＵＳＢ（Universal  Serial  Bus）やＤＶＩ（Digital  Visual  Interface）、ＨＤＭＩ（登録商標）（High  Definition  Multimedia  Interface）といった規格のコネクタにより実現される。また、入力ＩＦ１０７０は、マウス、キーボード、およびスキャナ等といった各種の入力装置１０２０から情報を受信するためのインタフェースであり、例えば、ＵＳＢ等により実現される。
【００６２】
なお、入力装置１０２０は、例えば、ＣＤ（Compact  Disc）、ＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等から情報を読み出す装置であってもよい。また、入力装置１０２０は、ＵＳＢメモリ等の外付け記憶媒体であってもよい。
【００６３】
ネットワークＩＦ１０８０は、ネットワークＮを介して他の機器からデータを受信して演算装置１０３０へ送り、また、ネットワークＮを介して演算装置１０３０が生成したデータを他の機器へ送信する。
【００６４】
演算装置１０３０は、出力ＩＦ１０６０や入力ＩＦ１０７０を介して、出力装置１０１０や入力装置１０２０の制御を行う。例えば、演算装置１０３０は、入力装置１０２０や二次記憶装置１０５０からプログラムを一次記憶装置１０４０上にロードし、ロードしたプログラムを実行する。
【００６５】
例えば、コンピュータ１０００が端末装置１００として機能する場合、コンピュータ１０００の演算装置１０３０は、一次記憶装置１０４０上にロードされたプログラムを実行することにより、制御部１５０の機能を実現する。また、コンピュータ１０００が情報提供装置１０として機能する場合、コンピュータ１０００の演算装置１０３０は、一次記憶装置１０４０上にロードされたプログラムを実行することにより、制御部１３の機能を実現する。
【００６６】
〔７．効果〕
上述したように、情報提供装置１０は、目的とする施設への需要が高そうな場所にカーシェアステーション設置を提案することができる。また、情報提供装置１０は、目的とする施設へ車で行く理由があるユーザの所在を考慮して、カーシェアステーションの設置場所を提案することができる。また、情報提供装置１０は、商業施設などに向かう位置としてここにカーシェアを置くとよいとカーシェアリング事業者に提案することができる。また、情報提供装置１０は、人流を考慮してカーシェアステーションの設置場所を提案することができる。また、情報提供装置１０は、人流だけでなく車線等の道路環境を考慮してカーシェアステーションの設置場所を提案することができる。
【００６７】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【００６８】
また、上記してきた「部（section、module、unit）」は、「手段」や「回路」などに読み替えることができる。例えば、配信部は、配信手段や配信回路に読み替えることができる。
【符号の説明】
【００６９】
１  情報提供システム
１０  情報提供装置
１１、１１０  通信部
１２  記憶部
１２１  位置データベース
１２２  検索データベース
１２３  決済データベース
１２４  地図データベース
１３、１５０  制御部
１４  取得部
１５  特定部
１６  提供部
２０  検索サーバ
１００  端末装置
１２０  入力部
１３０  出力部
１４０  物理センサ
１５１  要求部
１５２  操作制御部
１５３  表示処理部
【要約】
【課題】目的とする施設への人流を考慮して、カーシェアリング需要が高そうな場所にカーシェアステーションの設置を提案することができる技術を提供する。
【解決手段】本願に係る特定装置は、目的施設に訪問するユーザの所在地域を取得する取得部と、所在地域のうちユーザの数が所定の条件を満たす場所を、目的施設への移動体の提供場所として特定する特定部とを有することを特徴とする。
【選択図】図１【図１】
0006903176.tif 000002
【図２】
0006903176.tif 000003
【図３】
0006903176.tif 000004
【図４】
0006903176.tif 000005
【図５】
0006903176.tif 000006
【図６】
0006903176.tif 000007
【図７】
0006903176.tif 000008
【図８】
0006903176.tif 000009
【図９】
0006903176.tif 000010